【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
ユーザ機器によって、ネットワークエンティティのシステム情報を読み取るかどうかを判断する方法であって、
ネットワークエンティティによって送信されたシステム情報を受信するステップと、
前記システム情報においてブロードキャストされた値タグと、前記ネットワークエンティティのための記憶された値タグとを比較するステップと、
前記システム情報においてブロードキャストされた前記値タグが、前記ネットワークエンティティのための前記記憶された値タグと異なるとき、前記ネットワークエンティティのための前記システム情報を処理するステップと、
前記システム情報においてブロードキャストされた前記値タグが前記ネットワークエンティティのための前記記憶された値タグに等しいとき、前記ネットワークエンティティのためのシステム情報が変化したかどうかを判断するために、前記システム情報の1つまたは複数のパラメータを分析するステップと、
前記ネットワークエンティティのための前記システム情報が変化したことを決定することに少なくとも部分的に基づいて、前記ネットワークエンティティのための前記システム情報を処理するステップと
を含む方法。
【請求項２】
前記1つまたは複数のパラメータが、前記ネットワークエンティティの前記システム情報においてブロードキャストされたシステム情報値に対応し、
前記1つまたは複数のパラメータを分析するステップが、前記システム情報においてブロードキャストされた前記システム情報値を前記ネットワークエンティティの以前に受信されたシステム情報からの記憶されたシステム情報値と比較するステップを含む、請求項1に記載の方法。
【請求項３】
前記システム情報値がシステム情報サイズに対応し、
前記記憶されたシステム情報値が、前記以前に受信されたシステム情報のための記憶されたシステム情報サイズに対応し、
前記1つまたは複数のパラメータを分析するステップが、前記システム情報サイズが前記記憶されたシステム情報サイズと異なるとき、前記システム情報が変化したことを決定するステップを含む、請求項2に記載の方法。
【請求項４】
前記システム情報サイズが、システム情報ブロックセグメントの数であって、マスタ情報ブロックまたは前記システム情報における異なるシステム情報ブロックにおいて指定されたシステム情報ブロックセグメントの数に対応し、
前記記憶されたシステム情報サイズが、前記以前に受信されたシステム情報におけるシステム情報ブロックセグメントの記憶された数に対応する、請求項3に記載の方法。
【請求項５】
前記システム情報においてブロードキャストされた前記システム情報値が、システム情報スケジュールパラメータに対応し、
前記記憶されたシステム情報値が、前記以前に受信されたシステム情報のための記憶されたシステム情報スケジュールパラメータに対応し、
前記1つまたは複数のパラメータを分析するステップが、前記システム情報スケジュールパラメータが前記記憶されたシステム情報スケジュールパラメータと異なるとき、前記システム情報が変わったことを決定するステップを含む、請求項2に記載の方法。
【請求項６】
前記システム情報においてブロードキャストされた前記システム情報スケジュールパラメータが、前記システム情報の位置またはオフセットに対応し、
前記記憶されたシステム情報サイズが、前記以前に受信されたシステム情報の記憶された位置またはオフセットに対応する、請求項5に記載の方法。
【請求項７】
前記1つまたは複数のパラメータが、前記システム情報においてブロードキャストされたマスタ情報ブロックにおいて指定された値に対応する、請求項1に記載の方法。
【請求項８】
前記1つまたは複数のパラメータを分析する前記ステップが、前記マスタ情報ブロックにおいてブロードキャストされたマスタ情報ブロック値タグが前記ネットワークエンティティのための以前に受信されたシステム情報からの記憶されたマスタ情報ブロックにおける記憶されたマスタ情報ブロック値タグと異なるとき、前記システム情報が変化したことを決定するステップを含む、請求項7に記載の方法。
【請求項９】
ネットワークエンティティのシステム情報を読み取るかどうかを判断するための装置であって、
ネットワークエンティティによって送信されたシステム情報を受信し、前記システム情報においてブロードキャストされた値タグと、前記ネットワークエンティティのための記憶された値タグとを比較し、かつ、前記システム情報においてブロードキャストされた前記値タグが、前記ネットワークエンティティのための前記記憶された値タグと異なるとき、前記ネットワークエンティティのための前記システム情報を処理するための手段と、
前記システム情報においてブロードキャストされた値タグが前記ネットワークエンティティのための記憶された値タグに等しいとき、前記ネットワークエンティティのためのシステム情報が変化したかどうかを判断するために、前記システム情報の1つまたは複数のパラメータを分析するための手段と、
前記ネットワークエンティティのための前記システム情報が変化したことを決定することに少なくとも部分的に基づいて、前記ネットワークエンティティのための前記システム情報を処理するための手段と
を含む装置。
【請求項１０】
前記1つまたは複数のパラメータが、前記ネットワークエンティティの前記システム情報においてブロードキャストされたシステム情報値に対応し、
分析するための前記手段が、少なくとも部分的に前記システム情報においてブロードキャストされた前記システム情報値を前記ネットワークエンティティの以前に受信されたシステム情報からの記憶されたシステム情報値と比較することによって、前記1つまたは複数のパラメータを分析する、請求項9に記載の装置。
【請求項１１】
前記システム情報値がシステム情報サイズに対応し、
前記記憶されたシステム情報値が、前記以前に受信されたシステム情報のための記憶されたシステム情報サイズに対応し、
分析するための前記手段が、少なくとも部分的に、前記システム情報サイズが前記記憶されたシステム情報サイズと異なるとき、前記システム情報が変化したことを決定することによって、前記1つまたは複数のパラメータを分析する、請求項10に記載の装置。
【請求項１２】
前記ブロードキャストされたシステム情報サイズが、システム情報ブロックセグメントの数であって、マスタ情報ブロックまたは前記システム情報における異なるシステム情報ブロックにおいて指定されたシステム情報ブロックセグメントの数に対応し、
前記記憶されたシステム情報サイズが、前記以前に受信されたシステム情報におけるシステム情報ブロックセグメントの記憶された数に対応する、請求項11に記載の装置。
【請求項１３】
前記システム情報においてブロードキャストされた前記システム情報値が、システム情報スケジュールパラメータに対応し、
前記記憶されたシステム情報値が、前記以前に受信されたシステム情報のための記憶されたシステム情報スケジュールパラメータに対応し、
分析するための前記手段が、少なくとも部分的に、前記システム情報スケジュールパラメータが前記記憶されたシステム情報スケジュールパラメータと異なるとき、前記システム情報が変化したことを決定することによって、前記1つまたは複数のパラメータを分析する、請求項10に記載の装置。
【請求項１４】
前記システム情報においてブロードキャストされた前記システム情報スケジュールパラメータが、前記システム情報の位置またはオフセットに対応し、
前記記憶されたシステム情報サイズが、前記以前に受信されたシステム情報の記憶された位置またはオフセットに対応する、請求項13に記載の装置。
【請求項１５】
前記1つまたは複数のパラメータが、前記システム情報においてブロードキャストされたマスタ情報ブロックにおいて指定された値に対応する、請求項9に記載の装置。